(57)【要約】【課題】ブロアー部品を排気部に接続する時の動作を容易にすることで、使用者への負担を低減するとともに、排気部から洩れる排気風が、被掃除面のゴミを吹飛ばすことを防止することで、使用性を向上させた電気掃除機を提供することを目的とする。【解決手段】吸引風を発する電動送風機１２と、前記電動送風機１２の排気側と連通する第一排気部２３と第二排気部２４とを備え、前記第二排気部２４にはアタッチメントおよび／またはアタッチメントに接続された接続部２２が接続可能であるとともに、前記開口３０を上方向に傾斜させた傾斜面３１にて形成したものである。【選択図】  図８
2004248897.tif 000002
【特許請求の範囲】
【請求項１】
吸引風を発する電動送風機と、前記電動送風機の排気側と連通する第一排気部と第二排気部とを備え、前記第二排気部にはアタッチメントおよび／またはアタッチメントに接続された接続部が接続可能であるとともに、前記開口を上方向に傾斜させた傾斜面にて形成した電気掃除機。
【請求項２】
傾斜面の外周に、上方向に傾斜させた凸部を設けた請求項１記載の電気掃除機。
【請求項３】
第二排気部に対して開閉自在の蓋体を備え、前記蓋体の大気側に凸部を設けた請求項１または２記載の電気掃除機。
【請求項４】
開口と蓋体との間に軟質材を設けた請求項３記載の電気掃除機。
【請求項５】
電動送風機の排気側と第二排気部との間に、塵埃捕集手段を設けた請求項１〜４のいずれか１項に記載の電気掃除機。
【請求項６】
蓋体に電動送風機の排気側と連通する連通部を設けた請求項３〜５のいずれか１項に記載の電気掃除機。
【請求項７】
第二排気部の近傍に、前記第二排気部に接続可能なアタッチメントを収納した請求項１〜６のいずれか１項に記載の電気掃除機。
【請求項８】
第二排気部に接続可能なアタッチメントを、掃除機本体の長手方向の中心軸に対して水平方向に略直角に配置した請求項７記載の電気掃除機。
【発明の詳細な説明】
【０００１】
【発明の属する技術分野】
本発明は、排気をブロアーとして利用できる一般家庭で使用される電気掃除機に関するものである。
【０００２】
【従来の技術】
従来のこの種の電気掃除機を、図１４、図１５を用いて説明する。
【０００３】
図１４、図１５において、掃除機本体１の前方には、集塵用ホース（図示せず）を着脱自在に接続する吸気口２と、この吸気口２に連通する集塵室４が設けられている。
【０００４】
掃除機本体１の後方には、塵埃を吸引するための吸引風を発する電動送風機５が配設され、掃除機本体１の後面には、第二排気部６と、第一排気部７が設けられており、前記第二排気部６には、前記第二排気部６を開閉する蓋体８が設けられている。この蓋体８はバネ体９によって第二排気部６を閉塞される方向に付勢されている。また、この第二排気部６は、掃除機本体１の長手方向で被掃除面とほぼ水平に形成されている。
【０００５】
上記のように、通常は、第二排気部６が蓋体８により閉塞されており、図１４の示すように、矢印Ａのように排気風は、第一排気部７から放出される。また、ブロアーとして使用する際は、図１５に示すように、ホース接続管１０を前記第二排気部６に接続することにより、矢印Ｂのように排気風は、ホース接続管１０内を通り排気を放出されていた（例えば、特許文献１参照）。
【０００６】
【特許文献１】
特開昭６１−５０５３５号公報（第１−４頁、第１図）
【０００７】
【発明が解決しようとする課題】
しかしながら上記従来の掃除機本体１では、第二排気部６は掃除機本体１の長手方向で被掃除面とほぼ水平に形成されていることより、使用者が、ブロアーとして、ホース接続管１０を第二排気部６に接続する際、ホース接続管１０は、第二排気部６に対してほぼ垂直にしなければならないことより、大きく屈んでホース接続管１０を第二排気部６に接続するため、身体や手首に負担がかかり手間がかかるという問題点もあった。
【０００８】
また、通常の使用状態で第二排気部６が蓋体８により閉塞されている時、第二排気部６と蓋体８との間のわずかな隙間から排気風が洩れて、被掃除面のゴミや近傍の書類などの吹き上げる問題もあった。
【０００９】
本発明は、上記課題を解決するもので、ブロアー部品を排気部に接続する時の動作を容易にすることで、使用者への負担を低減するとともに、排気部から洩れる排気風が、被掃除面のゴミを吹飛ばすことを防止することで、使用性を向上させた電気掃除機を提供することを目的とする。
【００１０】
【課題を解決するための手段】
上記従来の課題を解決するために本発明は、吸引風を発する電動送風機と、前記電動送風機の排気側と連通する第一排気部と第二排気部とを備え、前記第二排気部にはアタッチメントおよび／またはアタッチメントに接続された接続部が接続可能であるとともに、前記開口を上方向に傾斜させた傾斜面にて形成したもので、ブロアーとして、アタッチメントや接続部を第二排気部に接続する際、前記第二排気部の開口は被掃除面に対して上方に傾いているため、使用者は第二排気部に対して鈍角にアタッチメントや接続部をもって第二排気部に接続できることで、手首にかかる負担を軽減させ、かつ、第二排気部からわずかに洩れる排気風は、被掃除面に対して上方に放出されるので被掃除面のゴミや、近傍の書類などの吹き上がりを廉価な構成で低減させることができる。
【００１１】
【発明の実施の形態】
本発明の請求項１記載の発明は、吸引風を発する電動送風機と、前記電動送風機の排気側と連通する第一排気部と第二排気部とを備え、前記第二排気部にはアタッチメントおよび／またはアタッチメントに接続された接続部が接続可能であるとともに、前記開口を上方向に傾斜させた傾斜面にて形成したもので、ブロアーとして、アタッチメントや接続部を第二排気部に接続する際、前記第二排気部の開口は被掃除面に対して上方に傾いているため、使用者は第二排気部に対して鈍角にアタッチメントや接続部をもって第二排気部に接続できることで、手首にかかる負担を軽減させ、かつ、第二排気部からわずかに洩れる排気風は、被掃除面に対して上方に放出されるので被掃除面のゴミや、近傍の書類などの吹き上がりを廉価な構成で低減させることができる。
【００１２】
また、結果的に、ブロアーを高い所で清掃する時、接続部であるホースが鋭角に屈曲することが少なくなり、ホース内の吸気通路の圧損を損なわせること無く性能低下を防止する。
【００１３】
本発明の請求項２記載の発明は、傾斜面の外周に、上方向に傾斜させた凸部を設けたもので、ブロアーとして、アタッチメントや接続部を第二排気部に接続する際、上方向に傾斜させた凸部が、アタッチメントや接続部のさそいとなることで着脱が容易となり、かつ廉価な構成で、開口から漏れる排気風で被掃除面のゴミの吹飛ばしを抑制することができる。
【００１４】
本発明の請求項３記載の発明は、第二排気部に対して開閉自在の蓋体を備え、前記蓋体の大気側に凸部を設けたもので、ブロアーとして、アタッチメントや接続部を第二排気部に接続する際、アタッチメントや接続部の内径が、凸部によってさそいとなることで、確実に着脱でき使い勝手が向上する。
【００１５】
本発明の請求項４記載の発明は、開口と蓋体との間に軟質材を設けたもので、第二排気部の開口と蓋体との間からわずかに排出される排気風の流出を防止でき、被掃除面のゴミの吹飛ばし抑制させることができる。
【００１６】
本発明の請求項５記載の発明は、電動送風機の排気側と第二排気部との間に、塵埃捕集手段を設けたもので、電動送風機からの微細な塵埃は、塵埃捕集手段で捕集され、ブロアーとして使っても、ブロアーからの排気風は清潔になり排気の洗浄度を向上させる。
【００１７】
本発明の請求項６記載の発明は、蓋体に電動送風機の排気側と連通する連通部を設けたもので、熱のこもりやすい電動送風機からの排気風を外気に放出し、電動送風機の過熱を抑制することで、電動送風機の冷却効果と耐久性を向上させることができる。
【００１８】
本発明の請求項７記載の発明は、第二排気部の近傍に、前記第二排気部に接続可能なアタッチメントを収納したもので、第二排気部にアタッチメントを接続するとき手間がかからず、使用性が向上する。
【００１９】
本発明の請求項８記載の発明は、第二排気部に接続可能なアタッチメントを、掃除機本体の長手方向の中心軸に対して水平方向に略直角に配置したもので、掃除機本体の長手方向の全長を短くでき、ひいては掃除機本体の小型化が寄与できる。
【００２０】
【実施例】
（実施例１）
以下、本発明の第１の実施例について、図１〜図９を用いて説明する。
【００２１】
図１は、本発明の第１の実施例を示す掃除機本体の上面図であり、図２は、その掃除機本体の側面図であり、図３は掃除機本体の背面図である。図４は掃除機本体の側面断面図であり、図５は掃除機本体の上方断面図である。図６は、蓋体を示す部分側面断面図であり、図７は、蓋体を示す部分上方断面図である。図８は、ホース接続管を蓋体に挿入する時の動作図で、図９は、ホース接続管を蓋体に挿入した時の部分構想図である。
【００２２】
図４において、掃除機本体１１の後方には、塵埃を吸引するための吸引風を発する電動送風機１２を内蔵した電動送風機室１３、掃除機本体１１の前方には、前記電動送風機１２の吸気側に連通し、塵埃を捕集する略円形状の集塵室１４が設けられている。また、集塵室１４は掃除機本体１１と着脱自在に構成されている。掃除機本体１１の前方下面には、走行手段である移動用キャスター１５が枢支されており、掃除機本体１１の後方両側面には、一対の移動用車輪１６が回転自在に備えられている。
【００２３】
集塵室１４内には、微細な塵埃捕集用のメインフィルター１７とメインフィルター１７に回転自在に取付けられた、粗い塵埃を捕集するための略円錐形状でメッシュ部１８を有するプレフィルター１９が設けられている。また、集塵室１４の上部前方には、吸気口２０が備えられている。集塵室１４に連通し、塵埃を吸引するアタッチメント（図示せず）を接続した接続部であるホース２１の一端には、ホース接続管２２が設けられており、このホース接続管２２は、吸気口２０と着脱、及び、回動自在に取付けられている。
【００２４】
図５、図７において、掃除機本体１１の後方には、電動送風機１２から放出される排気を外部に放出する第一排気部２３が形成されており、また、集中排気を利用する時に、前記接続部であるホース２１の一端のホース接続管２２が挿入接続できる第二排気部２４が形成されている。
【００２５】
第二排気部２４には、この第二排気部２４を回動自在に開閉する蓋体２５が配設されており、蓋体２５の回動軸２６にはバネ２７が付勢されており、このバネ２７によってこの蓋体２５が、第二排気部２４を常時閉塞するように設けられている。図７において、電動送風機１２から放出される排気は、掃除機本体１１に形成されている仕切りリブ２８で形成された排気経路２９を通り矢印方向へと連通する。
【００２６】
図９において、集中排気を利用するブロアーとして使用する際で、ホース接続管２２を第二排気部２４に挿入接続すると、蓋体２５は、ホース接続管２２に押され、矢印Ａ方向に回動する。この時、蓋体２５は、仕切りリブ２８に当たり、通常の電動送風機１２から排気を、蓋体２５によって遮断し、矢印Ｂで示すように排気風はホース接続管２２内を通り排気を放出するようになっている。
【００２７】
また、図８において、第二排気部２４の開口部３０は、前記走行手段を被掃除面に接地させた通常掃除状態において、被掃除面に対して上方向に傾斜させた傾斜面３１にて形成されている。
【００２８】
上記構成において動作、作用を説明する。
【００２９】
図８において、第二排気部２４の開口部３０に傾斜面３１を設けることより、第二排気部２４の開口部３０から漏れる排気は、被掃除面に対して上方に排出されることとなり、被掃除面のゴミや近傍の書類などを吹飛ばすことを低減させる。
【００３０】
また、ブロアーとして、ホース接続管２２を第二排気部２４に挿入する際、ホース接続管２２は上方向から下方向へと斜めに挿入して行くため、使用者は第二排気部２４が見易くなり、使用者にとって鈍角な方向でホース接続管２２をもって第二排気部２４に接続することができ大きく屈むことなく手首の負担を軽減させる。
【００３１】
また、結果的に、ブロアー効果を高い所で使用する時、ホース接続管２２と接続されているホース２１が鋭角に屈曲することがなくなり、ホース２１内の吸気通路の圧損を損なわせること無く性能低下を防止する。
【００３２】
また、図３、図６及び、図８において、第二排気部２４の開口部３０の外周で、この開口部３０の下方で略半分、掃除機本体１１の被掃除面に対して上方に傾斜させた凸部なる傾斜リブ３２が形成されている。このことより、使用者がブロアーとして、ホース接続管２２を第二排気部２４に挿入する際、傾斜リブ３２がホース接続管２２をさそいホース接続管２２の挿入が容易となり、かつ廉価な構成で、開口部３０から若干漏れる排気風で被掃除面のゴミ吹飛ばしを防止する。
【００３３】
また、第二排気部２４の開口部３０を回動自在に開閉す蓋体２５の外気側に略円錐状の凸部なる突起リブ３３が設けられている。このことより、使用者がブロアーとして、ホース接続管２２を第二排気部２４に挿入する際、使用者は第二排気部２４に形成された蓋体２５が見易くなり、かつ、ホース接続管２２の内径が、突起リブ３３によってさそわれホース接続管２２の着脱が容易となり使い勝手が向上する。
【００３４】
図６、図７において、第二排気部２４の開口部３０と、蓋体２５との間に、軟質材なるエアータイト用のパッキン体３４が接着等により係止されている。このことより、第二排気部２４の開口部３０と、蓋体２５とに生じる部品形状のバラツキで、第二排気部２４の開口部３０と、蓋体２５との間からわずかに排出される排気風の流出を防止できる。
【００３５】
図７、図９において電動送風機１２を内蔵した電動送風機室１３から排気が流れる排気経路２９で、電動送風機室１３と第二排気部２４との間に粗い塵埃を捕集する塵埃捕集手段であるフィルター３５が配設されている。このフィルター３５は、掃除機本体１１に形成されたガイドリブ３６で係止されている。このことより、図９のように、ブロアーとして、ホース接続管２２を第二排気部２４に接続して使っても、電動送風機１２からの放出される微細な塵埃はフィルター３５で捕集され、ブロアーからの排気風は清潔になり排気の洗浄度を向上させる。
【００３６】
図３、図６において、第二排気部２４の開口部３０を回動自在に開閉す蓋体２５の外気側に複数個の連通部なる穴３７が設けられている。このことより、熱がこもりやすい電動送風機室１３からの排気圧を和らげ、排気風を外気に逃がし、電動送風機１２の過熱を抑制する。結果的に電動送風機１２の冷却効果と耐久性を向上させることができる。
【００３７】
なお、本実施例においては、塵埃を吸引するアタッチメント（図示せず）を接続した接続部であるホース２１の一端に形成されたホース接続管２２を、第二排気部２４に挿入接続する場合について述べたが、第二排気部２４に直接挿入接続可能なアタッチメント（図示せず）を用いても同様の効果は得られる。
【００３８】
（実施例２）
以下、本発明の第２の実施例について、図１０〜図１３を用いて説明する。
【００３９】
図１０は本発明の実施例２の掃除機本体の後方要部断面図である。図１１はその掃除機本体の格納蓋を開閉した時の動作図。図１２は、アタッチメント及び、集塵フィルターを取外した時の動作図である。図１３は、掃除機本体の一部切り欠いた平面図である。本実施例２は、実施例１からアタッチメントの収納に関して詳細に表したものである。なお、実施例１と同符号のものは同一構造を有し、その説明は省略する。
【００４０】
図７、図１０、及び、図１１において、電動送風機室１３からの排気が流れる排気経路２９に設けられた第一排気部２３の後方には、細塵捕集用の集塵フィルター３８が配設されており、この集塵フィルター３８には突起部３９を有した引掛け４０が設けられており、この引掛け４０は、掃除機本体１１に形成された凹み部４１と嵌合し着脱自在に形成されている。
【００４１】
また、細塵捕集用の集塵フィルター３８と、排気経路２９を形成する仕切りリブ２８との間に、少なくとも１つが第二排気部２４に直接接続可能な複数個のアタッチメント４２が、掃除機本体１１に形成された収納部４３に収納されている。
【００４２】
集塵フィルター３８と前記複数個のアタッチメント４２の上部には、格納蓋４４が設けられており、この格納蓋４４は、掃除機本体１１の回動軸４５を中心にして回動自在に構成されている。この格納蓋４４を回動させることより、集塵フィルター３８と前記複数個のアタッチメント４２は、図１２の矢印方向に取外せる様になっている。このことより、格納蓋４４で、複数個のアタッチメント４２及び、集塵フィルター３８を覆うことから、複数個のアタッチメント４２及び集塵フィルター３８は隠され簡単な構成で掃除機本体１１の外観美を損なうことがなくなる。また、第二排気部２４に直接接続可能なアタッチメント４２を接続するとき手間がかからず、使用性が向上する。
【００４３】
図１０、図１３において、細塵捕集用の集塵フィルター３８と、複数個のアタッチメント４２は、掃除機本体１１の長手方向の中心軸に対して水平方向４６に略直角で縦列配置されている。このことより、図１０で示す掃除機本体１１の長手寸法Ｌを短くでき、ひいては掃除機本体１１の無駄な空間がなくなりコンパクト化が可能となる。
【００４４】
また、図１０、図１１において、格納蓋４４は、掃除機本体１１の回動軸４５を中心にして回動自在に構成されているとともに、格納蓋４４の引掛け部４７は、着脱自在の細塵捕集用の集塵フィルター３８に形成されたコ字状の保持部４８で、嵌合し、着脱自在に係止されている。このことより、大きな部品である掃除機本体１１側に複雑な金型構成で、保持部４８を形成させることがなくなる。
【００４５】
また、金型的に比較的小さい部品である集塵フィルター３８に保持部４８を形成することより金型費も少なくてすみ廉価な構成で集塵フィルター３８の保持部４８が形成できる。
【００４６】
【発明の効果】
以上説明したように本発明よれば、ブロアー部品を排気部に接続する時の動作を容易にすることで、使用者への負担を低減するとともに、排気部から洩れる排気風が、被掃除面のゴミを吹飛ばすことを防止することで、使用性を向上させた電気掃除機を提供できる。
【図面の簡単な説明】
【図１】本発明の第１の実施例における掃除機本体の上面図
【図２】同掃除機本体の側面図
【図３】同掃除機本体の背面図
【図４】同掃除機本体の側断面図
【図５】同電気掃除機の上方断面図
【図６】同掃除機本体の蓋体を示す部分側面断面図
【図７】同掃除機本体の蓋体を示す部分平面断面図
【図８】同掃除機本体のホース接続管を蓋体に挿入する時の動作図
【図９】同掃除機本体のホース接続管を蓋体に挿入した時の部分構想図
【図１０】本発明の第２の実施例における掃除機本体の後方要部断面図
【図１１】同掃除機本体の格納蓋を開閉した時の動作図
【図１２】同掃除機本体のアタッチメント及び集塵フィルターを取外した時の動作図
【図１３】同掃除機本体の一部切り欠いた平面図
【図１４】従来の電気掃除機の側断面図
【図１５】同ホース接続管を蓋体に挿入した時の部分構想図
【符号の説明】
１１  掃除機本体
１２  電動送風機
１４  集塵室
２２  ホース接続管
２３  第一排気部
２４  第二排気部
２５  蓋体
３０  開口部
３１  傾斜面
【図１】
2004248897.tif 000003
【図２】
2004248897.tif 000004
【図３】
2004248897.tif 000005
【図４】
2004248897.tif 000006
【図５】
2004248897.tif 000007
【図６】
2004248897.tif 000008
【図７】
2004248897.tif 000009
【図８】
2004248897.tif 000010
【図９】
2004248897.tif 000011
【図１０】
2004248897.tif 000012
【図１１】
2004248897.tif 000013
【図１２】
2004248897.tif 000014
【図１３】
2004248897.tif 000015
【図１４】
2004248897.tif 000016
【図１５】
2004248897.tif 000017